(57)【要約】　　　（修正有）【課題】客側及び店舗側の双方向から紙幣を挿入可能として、真正なもののみを相手方に渡すことができ、また一方が視覚障害者の場合でも挿入された紙幣の真贋及び金種を装置からの音声等によって告知することができるコンパクトな印刷紙葉類のチェッカーとする。【解決手段】対象とする印刷紙葉類の搬路を直線状として、その搬路の両端に挿入兼排出口を形成すると共に、搬路の略中央に種類及び真贋を識別するセンサー群を配置し、そのセンサー群と電気的に接続された、搬送された印刷紙葉類の内容を表示する表示部と音声出力部を備えていることとし、挿入口に隣接して印刷紙葉類の積層部を備え、その積層部の底面に穿設された透孔に偏心ローラを臨ませ、積層された印刷紙葉類を一枚づつ挿入口へ送り込むようにしたこととする。【選択図】　　　　　図１
2004133735.tif 000002
【特許請求の範囲】
【請求項１】
対象とする印刷紙葉類の搬路を直線状として、その搬路の両端に挿入兼排出口を形成すると共に、前記した搬路の略中央に種類及び真贋を識別するセンサー群を配置し、そのセンサー群と電気的に接続された、搬送された印刷紙葉類の内容を表示する表示部を備えていることを特徴とする印刷紙葉類のチェッカー。
【請求項２】
対象とする印刷紙葉類を紙幣としてキャッシュレジスターと電気的に接続可能、メカ的に付設可能としてあることを特徴とする印刷紙葉類のチェッカー。
【請求項３】
対象とする印刷紙葉類を紙幣としてキャッシュレジスターに内蔵してあることを特徴とする印刷紙葉類のチェッカー。
【請求項４】
前記した挿入兼排出口の下方にトレーを備えていることを特徴とする請求項１、請求項２または請求項３に記載の印刷紙葉類のチェッカー。
【請求項５】
挿入された印刷紙葉類の内容を音声で告知するスピーカを設けてあることを特徴とする請求項１、請求項２、請求項３または請求項４に記載の印刷紙葉類のチェッカー。
【請求項６】
挿入された印刷紙葉類の内容を告知する音声をイヤホーンで聞くことができるようにしたことを特徴とする請求項１、請求項２、請求項３、請求項４または請求項５に記載の印刷紙葉類のチェッカー。
【請求項７】
車載用電源と接続可能としてあることを特徴とする請求項１、請求項４、請求項５または請求項６に記載の印刷紙葉類のチェッカー。
【請求項８】
対象とする印刷紙葉類を紙幣とし、硬貨用トレイを隣接して配備してあることを特徴とする請求項１、請求項２、請求項３、請求項４、請求項５、請求項６または請求項７に記載の印刷紙葉類のチェッカー。
【請求項９】
前記した搬路を構成するロアガイドの表面中央に長手方向に沿って中心部分を高くした搬送ガイド部を一個以上形成してあることを特徴とする請求項１、請求項２、請求項３、請求項４、請求項５、請求項６、請求項７または請求項８に記載の印刷紙葉類のチェッカー。
【請求項１０】
前記した搬路の側面に挿入された印刷紙葉類を搬路中央へガイドするガイド部を備えていることを特徴とする請求項９に記載の印刷紙葉類のチェッカー。
【請求項１１】
前記したガイド部はロアガイドの側壁内面に設けられた突起としたことを特徴とする請求項１０に記載の印刷紙葉類のチェッカー。
【請求項１２】
前記したガイド部は搬路の側壁に一部を突出され、搬路の長手方向に対して直交方向に可動可能なプーリとしたことを特徴とする請求項１０に記載の印刷紙葉類のチェッカー。
【請求項１３】
前記したガイド部としてのプーリは一対をケーシングの両端寄りに取り付け、そのケーシングの中央部に支持ピンを備え、その支持ピンを介してケーシング自体を揺動させるものとしたことを特徴とする請求項１２に記載の印刷紙葉類のチェッカー。
【請求項１４】
コンパクトなケーシングの一方面に挿入口及び排出口を形成し、その挿入口及び排出口をつなぐ略コ字状となる搬路を形成し、その搬路の途中に識別センサー群を配置し、挿入した印刷紙葉類の内容を音声で告知するスピーカもしくはイヤホーンジャックを備えていることを特徴とする印刷紙葉類のチェッカー。
【請求項１５】
挿入口に隣接して印刷紙葉類の積層部を備え、その積層部の底面に穿設された透孔に偏心ローラを臨ませ、積層された印刷紙葉類を一枚づつ挿入口へ送り込むようにしたことを特徴とする印刷紙葉類のチェッカー。
【請求項１６】
前記した積層部はアタッチメントとして着脱可能としてあることを特徴とする請求項１５に記載の印刷紙葉類のチェッカー。
【請求項１７】
前記したセンサー群は少なくともセンター部分に近赤外線発光素子と紫外線発光素子を配し、その周囲に近赤外線発光素子、赤色発光素子、緑色発光素子、青色発光素子等の他の発光素子を配置してあることを特徴とする請求項１、請求項２、請求項３、請求項４、請求項５、請求項６、請求項７、請求項８、請求項９、請求項１０、請求項１１、請求項１２、請求項１３、請求項１４、請求項１５または請求項１６に記載の印刷紙葉類のチェッカー。
【発明の詳細な説明】
【０００１】
【発明の属する技術分野】
本発明は印刷紙葉類のチェッカー、主として紙幣の真贋を簡易にチェックすることができるチェッカーに関する。
【０００２】
【従来の技術】
この簡易に紙幣の真贋をチェックするチェッカー、即ち、銀行等の金融企業における大量処理のものではなく、使用者、受領者が紙幣のやり取りをする現場あるいはその事前にチェックができるものとしては特願２００１−１２７３２５号が存在している。この出願は例えば旅行者（海外を含む）等が自ら紙幣をチェックできるタイプのものである。
【０００３】
【発明の背景】
現在、商品の購入や各種サービスへの支払いとしてカード等を媒体とするキャッシュレスシステムも広がってきているが、現金が使用される割合は未だに非常に多い。自動販売機や自動貸出機等々の無人システムにあっては投入される紙幣や硬貨の真贋をチェックする装置が設置され、自動的に贋札や贋硬貨等は受け付けないようになっているが、対人の場合にはそのチェックの方法がなく、手触りや透かしの確認を目視する等の安易なもので済まされるか、多くの場合にはかかるチェックも行なわないのが普通とも言える。
【０００４】
【発明の目的】
そこで、本発明の第一の目的は対人取引の場にあって、客側及び店舗側の双方向から紙幣を挿入することができ、真正なもののみを相手方に渡すことができることとし、さらに、これに加えて一方側が視覚障害者の場合でも挿入された紙幣の真贋及び金種を装置からの音声等によって告知することができる印刷紙葉類のチェッカーを提供することとしている。
【０００５】
また、本発明の第二の目的は視覚障害者であっても自ら、手にした紙幣をはじめとする印刷紙葉類の真贋をチェックすることのできるコンパクトな印刷紙葉類のチェッカーを提供することとしている。
【０００６】
さらに、本発明の第三の目的は多量の印刷紙葉類をスピーディにチェックすることができ、前記した双方向の挿入、排出タイプのものにも応用することが可能な印刷紙葉類のチェッカーを提供することとしている。
【０００７】
【課題を解決するための手段】
この目的を達成するために、本発明に係る印刷紙葉類のチェッカーは対象とする印刷紙葉類の搬路を直線状として、その搬路の両端に挿入兼排出口を形成すると共に、前記した搬路の略中央に種類及び真贋を識別するセンサー群を配置し、そのセンサー群と電気的に接続された、搬送された印刷紙葉類の内容を表示する表示部を備えていることを特徴とし、対象とする印刷紙葉類を紙幣としてキャッシュレジスターと電気的に接続可能、メカ的に付設可能としてあることを特徴とし、対象とする印刷紙葉類を紙幣としてキャッシュレジスターに内蔵してあることを特徴とし、前記した挿入兼排出口の下方にトレイを備えていることを特徴とし、挿入された印刷紙葉類の内容を音声で告知するスピーカを設けてあることを特徴とし、挿入された印刷紙葉類の内容を告知する音声をイヤホーンで聞くことができるようにしたことを特徴としている。
【０００８】
また、本発明は車載用電源と接続可能としてあることを特徴とし、対象とする印刷紙葉類を紙幣とし、硬貨用トレイを隣接して配備してあることを特徴としている。
【０００９】
さらに、本発明は前記した搬路を構成するロアガイドの表面中央に長手方向に沿って中心部分を高くした搬送ガイド部を一個以上形成してあることを特徴とし、前記した搬路の側面に挿入された印刷紙葉類を搬路中央へガイドするガイド部を備えていることを特徴とし、前記したガイド部はロアガイドの側壁内面に設けられた突起としたことを特徴とし、前記したガイド部は搬路の側壁に一部を突出され、搬路の長手方向に対して直交方向に可動可能なプーリとしたことを特徴とし、前記したガイド部としてのプーリは一対をケーシングの両端寄りに取り付け、そのケーシングの中央部に支持ピンを備え、その支持ピンを介してケーシング自体を揺動させるものとしたことを特徴としている。
【００１０】
また、本発明はコンパクトなケーシングの一方面に挿入口及び排出口を形成し、その挿入口及び排出口をつなぐ略コ字状となる搬路を形成し、その搬路の途中に識別センサー群を配置し、挿入した印刷紙葉類の内容を音声で告知するスピーカもしくはイヤホーンジャックを備えていることを特徴としている。
【００１１】
そして、本発明は挿入口に隣接して印刷紙葉類の積層部を備え、その積層部の底面に穿設された透孔に偏心ローラを臨ませ、積層された印刷紙葉類を一枚づつ挿入口へ送り込むようにしたことを特徴とし、前記した積層部はアタッチメントとして着脱可能としてあることを特徴とし、前記したセンサー群は少なくともセンター部分に近赤外線発光素子と紫外線発光素子を配し、その周囲に近赤外線発光素子、赤色発光素子、緑色発光素子、青色発光素子等の他の発光素子を配置してあることを特徴としている。
【００１２】
【作用】
上記した構成としたことによって対人取引の際に、客側の支払う紙幣も、店舗側から出される釣銭としての紙幣も一枚づつその真贋がチェックされるとともに金額が目視できるように表示される。また、視覚障害者をはじめ必要な場合には合成音声によって内容が告知されることとなるのであり、紙幣の搬送も補正され、スムーズな処理が図れる。
【００１３】
また、特に視覚障害者はエンボスによって金種の確認ができるのみであったが、本発明を実施したチェッカーによって自ら、対象となる紙幣の真贋をチェックすることができることとなる。
【００１４】
さらに、多量の紙幣の場合には、一枚づつスピーディに送り、その真贋をチェックすることができることとなるのであり、これは双方向タイプのチェッカーにも応用することができるものとなるのである。
【００１５】
【発明の実施の形態】
次に、本発明の好ましい実施の形態を図面を参照して説明する。図１は本発明を双方向タイプとして実施した場合を示す斜視図、図２は同じく機構を示す断面図、図３は同じく個人用のコンパクトサイズとした場合を示す斜視図、図４は同じく機構を示す断面図、図５は多量の紙幣を自動的に送る機構を示す図、図６は紙幣搬送の方向、位置の矯正機構を示す平面図、図７は同じくセンターガイドを示す断面図、図８は別のサイドガイドを示す断面図、図９はサイドガイドとして別のプーリ機構を示す平面図、図１０は同じく斜視図、図１１はチェックセンサーの配置例を示す平面図、図１２は他の配置例を示す平面図、図１３は他の配置例を示す平面図、図１４は他の配置例を示す平面図である。
【００１６】
これらの図にあって１は双方向タイプのチェッカー本体を示している。このチェッカー本体１は略直方体形状とされており、その長手方向の両端に紙幣の挿入兼排出口２ａ・２ｂが形成されている。この実施の形態にあっては２ａを客側、２ｂは店舗側とする。
【００１７】
前記した挿入兼排出口２ａ・２ｂは直線的な紙幣の搬路３でつなげられており、挿入兼排出口２ａ・２ｂに設置された光学系の駆動センサー４ａ・４ｂが紙幣の挿入を検知すると搬送メカニズムを稼動させるようになっている。
【００１８】
前記した搬路３の略中央位置にはその搬路３を上下方向から挟むかたちで光学系、即ち、発光素子５ａと、その発光素子５ａからの光を搬送される紙幣を透過し、情報を乗せた信号波として受ける受光素子５ｂからなるチェック用のセンサー群が各々回路基板６ａ・６ｂに取り付けられて配備されている。
【００１９】
回路基板６ａはコード７によってＡＣアダプタ８を介してプラグ９と接続され、必要に応じて商業用のＡＣ電源から電力を得ることができるようになっている。また、回路基板６ｂはチェッカー本体１の中央に一体的に形成された突出部１０の内部底面位置に配され、内蔵されるバッテリー１１（充電式のものでもよい）と接続されている。
【００２０】
また、前記した突出部１０の天面には金額の表示をする表示部１２が一箇所以上設けられる。本実施例ではこの表示部１２は液晶セグメントを用いたものとしているが発光ダイオードを並設させたものでもよい。この表示部１２を突出部１０の天面に設けたのは、かかる構成によって挿入された紙幣のストレートな搬送状態が目視で確認し易くするためである。図１３はこの表示部１２に表示された数字のキャンセルスイッチを示している。
【００２１】
店舗側となる挿入兼排出口２ｂ側にはシーソータイプの電源スイッチ１４が設けられている。前記した起動センサー４ａもしくは４ｂが紙幣の挿入を検知すると、その検知がメカニズムのスイッチＯＮとされ、モータ１５が起動される。このモータ１５のモータ軸にはウォーム１６ａが取り付けられており、このウォーム１６ａが搬送ローラ１７の軸に取り付けられたウォームホイール１６ｂと噛合されている。
【００２２】
搬送系は、前記したモータ１５と連結された搬送ローラ１７に加え、所定のピッチで複数の搬送ローラ１７・１７‥が直線上に配備され、この搬送ローラ１７・１７‥には搬送用のベルト１８が掛け回されている。
【００２３】
また、前記した搬送ローラ１７・１７‥には紙幣を挟持して送るためのプーリ１８・１８‥が各々転接されている。モータ１５は駆動センサー４ａ・４ｂのいずれかの入力でその回転方向性が正逆し、紙幣の搬送方向を反転させる。また、センサー５ａ・５ｂによって搬送された紙幣が贋札と判定された場合にもモータ１５の回転方向は逆転されて、その贋札を挿入された方向へ反送することとなる。
【００２４】
さらに、店舗側となる挿入兼排出口２ｂを形成するアッパーガイドの表面にはメンブレインタイプとしたテンキー１９が形成されている。なお、図中２０は紙幣の幅によって搬路３の幅を調整するアジャスターで搬路３に対して直交方向にスライド自在なものとされている。
【００２５】
そして、店舗側には車載用のシガレットライター用アウトレットに接続できるＤＣジャック２１が設けられている。これは、バッテリー１１の使用でも足りるが、タクシー用として運転手の傍らにこのチェッカー本体１を設置する場合の応用例となる。また、当初より車載専用として製作される場合にはシガレット用アウトレットに挿し込むプラグのみを設けておくこととすることもできる。
【００２６】
また、図中２２ａ・２２ｂは基端を枢支されて回動可能とされたトレイで搬送された紙幣をこのトレイで留め、まとめて受け取ることができるようにし、チェッカー本体１自体を不使用の場合、回動させて立ち上げることで少しでもコンパクトな状態としておくことができる。
【００２７】
一方、図中２３は主として釣銭としての硬貨を入れるためのコイン用ボックストレイであり、客側へ硬貨Ｃ・Ｃ‥が滑っていくように底面２３ａを客側に向けて下る斜面としてある。勿論、客側が支払いとしての硬貨Ｃ・Ｃ‥をここに投入することもできる。
【００２８】
このコイン用ボックストレイ２３はチェッカー本体１と一体化させ、位置ずれ等が生じることのないよう側壁面に係合部２３ｂ・２３ｂが形成され、チェッカー本体１の側面へ着脱可能にセットできるものとなっている。
【００２９】
さらに、図中２４はチェッカー本体１の側面に設けられたキャッシュレジスターとの接続用コネクターであり、このチェッカー本体１をキャッシュレジスターと接続することで、操作を連動させることができる。また、このチェッカー本体１自体をキャッシュレジスターに内蔵し、一体化することも勿論可能となっている。この場合は双方向性に限らず、客側からの一方向性のみとしてもよい。さらには、キャッシュレジスターの側面にフック等で位置ずれしないようセットすることもできる。
【００３０】
また、チェッカー本体１の前記した突出部１０の頂面には表示部１２の近傍にスピーカ２５が設けられている。２６はそのスピーカ２５のＯＮ、ＯＦＦ用のスライド型のスイッチである。このスピーカ２５からは挿入された紙幣の内容等が合成音声で告知されるもので、特に視覚障害者には有効である。
【００３１】
このスピーカ２５からの告知が周囲に聞かれたくない場合等には専用イヤホーン２７をチェッカー本体１の側面に設けられたジャック２８と接続し、個人レベルとして聞くこともできるようになっている。
【００３２】
本実施の形態に係るチェッカー本体１は上記のように構成されている。このほか、対人取引で客側と店舗側の双方から表示部１２を確認し易いように表示部１２を複数列設けることや、その輝度やスピーカ２５やイヤホーン２７からの音声用としてスイッチ付きボリューム等やクリヤキースイッチ等を増設していくことは応用として十分に可能なこととなっている。
【００３３】
このチェッカー本体１によれば、挿入兼排出口２ａから客が購入支払い用として紙幣を挿入すると、その紙幣の真贋と金種がチェックされ、内容が表示、告知されて挿入兼排出口２ｂから排出され、店舗側はそれを受領する。そして逆に釣銭としての紙幣を挿入兼排出口２ｂから挿入し、同様の経緯をもって客側に渡されることとなるのであり、常にチェック済みの真正紙幣のみのやり取りが成立することとなる。
【００３４】
次に、図中２９は個人用、特に視覚障害者にとって至便なチェッカー本体を示し、このチェッカー本体２９は携行に便利なようにコンパクトなサイズに形成されている。
【００３５】
このチェッカー本体２９には上面に一方に片寄せて紙幣の挿入口３０が形成されている。この挿入口３０にはアール状に削落させたガイド面３１が連続されており、視覚障害者にとっても触感で挿入作業が実行し易いように考慮されている。
【００３６】
このチェッカー本体２９は一つの壁面に電源のＯＮ、ＯＦＦを操作するシーソータイプのスイッチ３２が設けられており、電源はバッテリー３３（充電式も含む）もしくは商用のＡＣ電源を得られるプラグ３４が設けられている。３３ａはバッテリー３３の収納ボックスカバーを示している。
【００３７】
また、このチェッカー本体２９は一壁面に挿入した紙幣の内容を合成音声で告知するスピーカあるいはイヤホーン３５を接続するためジャック３６が備えられており、特に視覚障害者が自己の挿入した紙幣の真贋、金種等を音声をもって確認できるものとしている。
【００３８】
前記した挿入口３０に続けて挿入された紙幣を内部に引き込むローラ３７及びこのローラ３７と転接するプーリ３８が設けられ、紙幣の搬路３９が形成されている。この搬路３９には、排出口４０における送り出しのローラ４１と転接するプーリ４２と前記プーリ３８に掛けられるベルト４３が介在されて、紙幣を搬送するもので、搬路３９は略上向きコ字状に形成されている。
【００３９】
このローディング機構は内蔵されるモータ４４が駆動源とされ、このモータ４４の駆動軸に取り付けられたウォームギア４４ａが搬路３９のコーナー部分となるプーリ４５の軸のウォームホイールと噛合されることによって稼動される。
【００４０】
前記した搬路３９の途中には対向する光学系のセンサー群４６が設けられており、紙幣の真贋、金種をチェックすることとなる。４７はプリント回路基板を示している。
【００４１】
このチェッカー本体２９は上記のように構成されており、挿入口３０から紙幣を挿入すると、搬路３９に沿って紙幣はローディングされ、排出口４０より排出されるが、途中、その内容がセンサー群４６によってチェックされ、プリント回路基板４７に搭載されるメモリー等と照合して、その結果が合成音声によって告知されるものとなっている。
【００４２】
また、図５として示すのは、特に銀行等の金融機関や両替機等、比較的多量の一括処理が必要とされる場合のチェッカーへの送り機構で図１、図２として示したチェッカー本体１等にもアタッチメントとして実施が可能なものとなっている。
【００４３】
この場合、搬路４８の前側に紙幣Ｂの積み込み部４９が形成され、この積み込み部４９の底面には透孔５０が穿設されている。この透孔５０には偏心ローラ５１が臨まされて、ウエイトＷによって荷重を受けている、積み込まれた紙幣Ｂの底面から一枚づつ紙幣Ｂを搬路４８へ送り出すものとなっている。この際、同期した同一スピードで送り出す必要性から、ベルトやモータ等の構成要素が付加される。
【００４４】
また、搬路４８の入口部分の底面には引き込みローラ５２が備えられ、その引込みローラ５２と転接する回転ローラ５３とによって紙幣は一枚づつ機構内へ導かれる。この際、仮に偏心ローラ５１によって重ね送りがあった場合、静止片５４あるいは静止ローラによってその重合を捌き、一枚づつの順送りがなされるように図られている。なお、この機構には安全を図るキー機構を付けることもできる。
【００４５】
この機構をチェッカー本体１に応用する場合にはトレイ２２ａ・２２ｂを改良して、そのトレイ２２ａ・２２ｂを回動して起立させ、積み込み部４９を形成するようにすることも可能である。この際、テンキー１９のオートスイッチによって連続搬送が実行できることとする。
【００４６】
また、視覚障害者用として、特にこだわらずとも現在、国際的には紙幣の長さのみでなく、幅が異なるものが流通している場合が多々存在しており、紙幣を挿入した場合に、その紙幣をセンサー群が固定設置されたセンターラインに合致するよう誘導してやる必要性がある。これは、挿入が斜め状態となった場合にも該当する。
【００４７】
このガイド機構として図６乃至図１０に示す。図中５５は紙幣の搬路としてのロアガイドを示している。このロアガイド５５には搬送用のベルト５６・５６がプーリ５６ａ・５６ａに掛けられて備えられている。この二本のベルト５６・５６の間、即ち、ロアガイド５５のセンター部分には紙幣を正しい方向性に導くセンターガイド５７が一体に形成されている。本実施の形態でこのセンターガイド５７は一つとしてあるが複数設けることもでき、視覚障害者等が触感で紙幣を挿入することができることともしている。
【００４８】
このセンターガイド５７は断面半球面状としてあるが、特にこの形状にはこだわらず三角状の突条タイプのものとすることもでき、このセンターガイド５７の終端付近に光学系のセンサー群５８ａ・５８ｂ・５８ｃが配置されることとなり、このセンサー群の直前で紙幣はまっすぐな方向性とされる。
【００４９】
このセンサー群のうち、中国、韓国等の紙幣にあっては、手前の５８ａを近赤外線センサーとし、５８ｂ・５８ｃのうちいずれかを紫外線センサー、他を近赤外線センサーもしくは赤色センサーとすることがその印刷の構造上有効となる。双方向性のチェッカー本体１等の場合には図１１に示すように挿入方向が対向するので、近赤外線センサー５８ａを対称的に追加する。そして、挿入が一方向性の場合、図１２のようにセンサー群を配置することもできる。ここで５８ｂは紫外線センサーである。さらに、双方向性の場合、図１３、図１４に示す配置とすることもでき、この場合、５８ｃ・５８ｃ‥は緑色センサーや青色センサーを必要に応じて選定して配置することになる。
【００５０】
また、紙幣の幅寄せガイドとしてロアガイド５５及びアッパーガイドで構成される搬路の両側面に回転プーリ５９・５９を付けることができる。この回転プーリ５９・５９は紙幣を内部へ送る方向に回転するものとなっており、搬送を補助するが、その搬送方向に対して直交方向へ相互に可動なものとされ、挿入される紙幣の幅に合わせて、搬路の幅を矯正することも可能としている。
【００５１】
さらに、より簡易な構成として、前記したプーリ５９・５９に代え、ロアガイド５５の側壁内面に突部６０を突出させて、挿入された紙幣を中央位置へ寄せてやるようにすることもできる。
【００５２】
そして、前記したガイドとしてのプーリ５９・５９は図９、図１０として示すように応用することもできる。この場合も搬路の側壁面に設置されることとなるが、プーリ５９・５９は一側面について二箇づつが用意され、その二箇のプーリ５９・５９は一面が開放されたケース６１に一部を突出させて軸支され、その突出部分が搬路、即ちロアガイド５５上へ臨まされることになる。
【００５３】
前記したケース６１には両端をコイルスプリング６３・６３で附勢された支軸６２が上下方向に貫通され、その支軸６２を中心としてケース６１自体が揺動するものとされていて、幅に応じてケース６１・６１間の距離をコイルスプリング６３・６３により調整される。即ち、挿入された紙幣の側縁とプーリ５９・５９の一部が接することでケース６１がシーソー状態に揺動し、紙幣を中央位置へプーリ５９・５９が押し戻す作用をする。これを左右両縁でなすことによって紙幣はまっすぐに中央ラインに沿って搬送され、前記したセンターガイド５７と併用すればその矯正はより正確なものとなる。
【００５４】
【発明の効果】
本発明に係る印刷紙葉類のチェッカーは上述のように構成され、作用する。そのために、手軽に場所や時を問わず印刷紙葉類、特に紙幣の真贋をチェックでき、取引の場にあってもスムーズに疑いなく現金のやり取りができる。そして、視覚障害者であっても安全が音声で確認することができ、ガイド機構によって、印刷紙葉類の種類に対応し、あるいは挿入を矯正して正確に精度の高いチェックを行なうことができるものとなっている。
【図面の簡単な説明】
【図１】本発明を双方向タイプとして実施した場合を示す斜視図である。
【図２】機構を示す断面図である。
【図３】個人用のコンパクトサイズとした場合を示す斜視図である。
【図４】機構を示す断面図である。
【図５】多量の紙幣を自動的に送る機構を示す図である。
【図６】紙幣搬送の方向、位置の矯正機構を示す平面図である。
【図７】センターガイドを示す断面図である。
【図８】別のサイドガイドを示す断面図である。
【図９】サイドガイドとして別のプーリ機構を示す平面図である。
【図１０】斜視図である。
【図１１】チェックセンサーの配置例を示す平面図である。
【図１２】他の配置例を示す平面図である。
【図１３】他の配置例を示す平面図である。
【図１４】他の配置例を示す平面図である。
【符号の説明】
１　チェッカー本体
２ａ　挿入兼排出口
２ｂ　挿入兼排出口
３　搬路
４ａ　駆動センサー
４ｂ　駆動センサー
５ａ　発光素子
５ｂ　発光素子
６ａ　回路基板
６ｂ　回路基板
７　コード
８　ＡＣアダプタ
９　プラグ
１０　突出部
１１　バッテリー
１２　表示部
１３　キャンセルスイッチ
１４　電源スイッチ
１５　モータ
１６ａ　ウォーム
１６ｂ　ウォームホイール
１７　搬送ローラ
１８　ベルト
１９　テンキー
２０　アジャスター
２１　ＤＣジャック
２２ａ　トレイ
２２ｂ　トレイ
２３　コイン用ボックストレイ
２３ａ　底面
２３ｂ　係合部
２４　接続用コネクター
２５　スピーカ
２６　スイッチ
２７　イヤホーン
２８　ジャック
２９　チェッカー本体
３０　挿入口
３１　ガイド面
３２　スイッチ
３３　バッテリー
３３ａ　収納ボックスカバー
３４　プラグ
３５　イヤホーン
３６　ジャック
３７　ローラ
３８　プーリ
３９　搬路
４０　排出口
４１　ローラ
４２　プーリ
４３　ベルト
４４　モータ
４５　プーリ
４６　センサー群
４７　プリント回路基板
４８　搬路
４９　積み込み部
５０　透孔
５１　偏心ローラ
５２　引き込みローラ
５３　回転ローラ
５４　静止片
５５　ロアガイド
５６　ベルト
５６ａ　プーリ
５７　センターガイド
５８ａ　センサー
５８ｂ　センサー
５８ｃ　センサー
５９　回転プーリ
６０　突部
６１　ケース
６２　支軸
６３　コイルスプリング
Ｂ　紙幣
Ｃ　コイン
Ｗ　ウエイト
【図１】
2004133735.tif 000003
【図２】
2004133735.tif 000004
【図３】
2004133735.tif 000005
【図４】
2004133735.tif 000006
【図５】
2004133735.tif 000007
【図６】
2004133735.tif 000008
【図７】
2004133735.tif 000009
【図８】
2004133735.tif 000010
【図９】
2004133735.tif 000011
【図１０】
2004133735.tif 000012
【図１１】
2004133735.tif 000013
【図１２】
2004133735.tif 000014
【図１３】
2004133735.tif 000015
【図１４】
2004133735.tif 000016